(57)【特許請求の範囲】
【請求項１】
内方へ向けて突出する複数の磁極(2)間にスロット(3)を有する輪状ステータ(1)と、前記輪状ステータ(1)の両面に設けられ一体成形又は別体からなり前記スロット(3)に対応する凹部(7)を有する輪状絶縁カバー(4)と、前記各輪状絶縁カバー(4)を介して前記各磁極(2)に巻回されたステータコイル(5)と、前記ステータコイル(5)を覆うため前記輪状ステータ(1)の両面に装着された一対の輪状コイルカバー(10)と、前記輪状コイルカバー(10)の一方又は両方に一体形成され前記スロット(3)内に挿入される支柱(11)とからなるレゾルバステータ構造において、
前記輪状絶縁カバー(4)は、前記ステータコイル(5)を巻回するコイル巻回部(2A)と、前記コイル巻回部(2A)の内側に一体形成され前記コイル巻回部(2A)よりも幅広形状の耳部(6)とを有し、
前記コイル巻回部(2A)及び耳部(6)は前記各磁極(2)に配設され、前記各支柱(11)を前記スロット(3)内に挿入する場合、前記各磁極(2)間の前記各耳部(6)の耳側部(6a)をインローとして前記各支柱(11)が設けられていることを特徴とするレゾルバステータ構造。
【請求項２】
前記輪状ステータ(1)の内周方向に沿う前記磁極(2)の磁極幅(G1)は、前記耳部(6)の耳幅(M1)よりも小であることを特徴とする請求項１記載のレゾルバステータ構造。
【請求項３】
前記支柱(11)の根本部にはテーパ部(15)が形成されていることを特徴とする請求項１又は２記載のレゾルバステータ構造。
【請求項４】
前記支柱(11)の支柱幅(S2)と前記スロット(3)の各耳側部(6a)間のスロット幅(S1)は、同一であることを特徴とする請求項１ないし３の何れかに記載のレゾルバステータ構造。
【発明の詳細な説明】
【技術分野】
【０００１】
本発明は、レゾルバステータ構造に関し、特に、輪状コイルカバーの支柱を、輪状絶縁カバーの各耳部の耳側部をインローとしてスロットに挿入することにより、スロット挿入時におけるステータコイルへの損傷を防止し、かつ、スロット内側からのゴミ等の異物のスロット内への侵入を防止し、信頼性の向上を得るための新規な改良に関する。
【背景技術】
【０００２】
従来、用いられていたこの種のレゾルバステータ構造としては、例えば、特許文献１に開示されているレゾルバにおいては、図６から図１０で示されるように構成されている。
図６において符号１で示されるものは鉄心からなる輪状ステータであり、この輪状ステータ１には、内方へ向けて突出する複数の磁極２が所定の間隔で形成されている。
【０００３】
前記各磁極２間には凹状に形成されたスロット３が形成され、この輪状ステータ１の両面には、樹脂一体成形（インサート成形）又は個別に成形した一対の輪状絶縁カバー４が設けられ、各磁極２には前記各輪状絶縁カバー４を介してステータコイル５が巻回されている。
【０００４】
前記各磁極２は、その両面に前記各輪状絶縁カバー４の各耳部６が配設された状態で、前記ステータコイル５が設けられており、前記輪状絶縁カバー４の前記各スロット３に対応する位置には、このスロット３の形状にならう状態で凹部７が形成されている。
【０００５】
前記ステータコイル５巻回後の前記輪状ステータ１の両面には、この各磁極２に巻回されたステータコイル５を保護するために一対の輪状コイルカバー１０が設けられており、この輪状コイルカバー１０に形成された複数の支柱１１は、複数のスロット３を貫通する状態で設けられ、各輪状コイルカバー１０によって各磁極２に巻回されたステータコイル５が覆われて保護されている。
【０００６】
前記スロット３内に挿入された前記支柱１１は、平面的にみると図７に示される通りであり、前記各耳部６の耳側部６ａと前記支柱１１との間には隙間Ｇが形成されている。
【０００７】
【特許文献１】米国特許第６，０２８，３８３号明細書
【発明の開示】
【発明が解決しようとする課題】
【０００８】
従来のレゾルバステータ構造は、以上のように構成されていたため、次のような課題が存在していた。
すなわち、図７に示されるように、支柱とスロットとの間に隙間が形成されているため、各磁極にステータコイルを巻回後に、スロット内に輪状絶縁カバーの支柱を挿入すると、この隙間が大きいために、挿入時に、支柱がステータコイルと接触してステータコイルが損傷することがあり、信頼性確保に対する障害となっていた。
【課題を解決するための手段】
【０００９】
本発明によるレゾルバステータ構造は、内方へ向けて突出する複数の磁極間にスロットを有する輪状ステータと、前記輪状ステータの両面に設けられ一体成形又は別体からなり前記スロットに対応する凹部を有する輪状絶縁カバーと、前記各輪状絶縁カバーを介して前記各磁極に巻回されたステータコイルと、前記ステータコイルを覆うため前記輪状ステータの両面に装着された一対の輪状コイルカバーと、前記輪状コイルカバーの一方又は両方に一体形成され前記スロット内に挿入される支柱とからなるレゾルバステータ構造において、前記輪状絶縁カバーは、前記ステータコイルを巻回するコイル巻回部と、前記コイル巻回部の内側に一体形成され前記コイル巻回部よりも幅広形状の耳部とを有し、前記コイル巻回部及び耳部は前記各磁極に配設され、前記各支柱を前記スロット内に挿入する場合、前記各磁極間の前記各耳部の耳側部をインローとして前記各支柱が設けられている構成であり、また、前記輪状ステータの内周方向に沿う前記磁極の磁極幅は、前記耳部の耳幅よりも小である構成であり、また、前記支柱の根本部にはテーパ部が形成されている構成であり、また、前記支柱の支柱幅と前記スロットの各耳側部間のスロット幅は、同一である構成である。
【発明の効果】
【００１０】
本発明によるレゾルバステータ構造は、以上のように構成されているため、次のような効果を得ることができる。
すなわち、各磁極における輪状絶縁カバーの耳部の各耳側部をインローとして支柱が挿入されるため、支柱とステータコイルとの接触を防止し、組立時におけるステータコイルの損傷を防止できる。
また、全ての各スロットに支柱を挿入しているため、各スロットの内側が支柱によって完全に塞がれ、ゴミ等の異物がスロット内に侵入することを防止することができる。
従って、レゾルバの信頼性を向上させることができる。
【発明を実施するための最良の形態】
【００１１】
本発明は、輪状コイルカバーの支柱を、輪状絶縁カバーの各耳部の耳側部をインローとしてスロットに挿入することにより、スロット挿入時におけるステータコイルへの損傷を防止し、かつ、スロット内側からのゴミ等の異物のスロット内への侵入を防止し、信頼性の向上を得るようにしたレゾルバステータ構造を提供することを目的とする。
【実施例】
【００１２】
以下、図面と共に本発明によるレゾルバステータ構造の好適な実施の形態について説明する。
尚、従来例と同一又は同等部分には同一符号を付して説明する。
図１において符号１で示されるものは鉄心からなる輪状ステータであり、この輪状ステータ１には、内方へ向けて突出する複数の磁極２が所定の間隔で形成されている。
【００１３】
前記各磁極２間には、図２で示されるように、凹状に形成されたスロット３が形成され、この輪状ステータ１の両面には、樹脂一体成形（インサート成形）又は個別に成形した一対の輪状絶縁カバー４が設けられ、各磁極２には前記各輪状絶縁カバー４を介してステータコイル５が巻回されている。
【００１４】
前記各磁極２は、その両面に前記各輪状絶縁カバー４の各耳部６が配設された状態で、前記ステータコイル５が設けられており、前記輪状絶縁カバー４の前記各スロット３に対応する位置には、このスロット３の形状にならう状態で凹部７が形成されている。尚、前記輪状ステータ１の円周方向に沿う磁極２の磁極幅Ｇ１は、前記耳部６の耳幅Ｍ１よりも小に構成され、前記磁極２のコイル巻回部２Ａよりも前記耳部６が幅広に形成されている。
【００１５】
前記ステータコイル５巻回後の前記輪状ステータ１の両面には、この各磁極２に巻回されたステータコイル５を保護するために一対の輪状コイルカバー１０が設けられており、この輪状コイルカバー１０に形成された複数の支柱１１は、複数のスロット３を貫通する状態で設けられ、各輪状コイルカバー１０によって各磁極２に巻回されたステータコイル５が覆われて保護されている。
【００１６】
前記スロット３内に挿入された前記支柱１１は、平面的にみると図２に示される通りであり、前記各耳部６の耳側部６ａをインローとして前記支柱１１が挿入・位置決めされている。
前記各耳側部６ａ間のスロット幅Ｓ１と支柱幅Ｓ２とは同一に形成され、支柱１１と各耳側部６ａとの間は全く隙間のない接合状態となり、スロット３の内側からのゴミ等の侵入を完全に防止することができるように構成されている。
【００１７】
前記支柱１１は、各輪状コイルカバー１０の中、一方のみに形成された場合、又は両方に形成してスロット内でつき合わせて形成する場合等、必要に応じて何れかを用いることができる。
また、前記支柱１１は、その根元部にテーパ部１５が形成され、このテーパ部１５により、輪状コイルカバー１０から一体に形成された支柱１１の強度を補強するように構成されている。
【産業上の利用可能性】
【００１８】
本発明は、レゾルバステータ構造にかぎることなく、モータのステータにも適用可能である。
【図面の簡単な説明】
【００１９】
【図１】本発明によるレゾルバステータ構造の要部を示す分解斜視図である。
【図２】図１の要部の平面図である。
【図３】図１の支柱を示す断面図である。
【図４】図３の支柱を示す底面図である。
【図５】図４の支柱を示す正面図である。
【図６】従来のレゾルバステータ構造を示す要部の分解斜視図である。
【図７】図６の要部の平面図である。
【図８】図６の支柱を示す断面図である。
【図９】図８の支柱を示す底面図である。
【図１０】図９の支柱を示す正面図である。
【符号の説明】
【００２０】
１    輪状ステータ
２    磁極
２Ａ    コイル巻回部
３    スロット
４    輪状絶縁カバー
５    ステータコイル
６    耳部
６ａ    耳側部
７    凹部
１０    輪状コイルカバー
１１    支柱
１５    テーパ部
Ｇ１    磁極幅
Ｍ１    耳幅
Ｓ１    スロット幅
Ｓ２    支柱幅
【図１】
0004792577.tif 000002
【図２】
0004792577.tif 000003
【図３】
0004792577.tif 000004
【図４】
0004792577.tif 000005
【図５】
0004792577.tif 000006
【図６】
0004792577.tif 000007
【図７】
0004792577.tif 000008
【図８】
0004792577.tif 000009
【図９】
0004792577.tif 000010
【図１０】
0004792577.tif 000011